(57)【要約】      （修正有）【課題】簡単にガスを発生することが出来るストローを提供する。【解決手段】ストロー１は上端から約１／４の箇所に伸縮且つ折り曲げ可能な蛇腹部２が形成され、下端部には薬剤保持部３が形成されている。この薬剤保持部３の上端部は径方向内側に突出したストッパ部とされ、このストッパ部に下方から挿入した仕切り部材が係止し、仕切り部材の下方にはガス発生剤が挿入され、ストローの下端は蓋部材で閉塞し、更にこの実施例では薬剤保持部３全体を耐水性樹脂フィルム８でシールしている。【選択図】図１
2013215511.tif 000002
【特許請求の範囲】
【請求項１】
ストローの下端内部にガス発生剤が充填される薬剤保持部が設けられ、この薬剤保持部よりも上方位置のストロー側面に飲料を吸引するための穴が形成されていることを特徴とするストロー。
【請求項２】
請求項１に記載のストローにおいて、前記薬剤保持部とこれよりも上方のストロー内とは仕切り部材にて分けられ、この仕切り部材、前記薬剤保持部の側面及びストローの下端開口に取り付けられた蓋部材の少なくとも１つには、ガス発生剤と飲料との接触を可能とするとともに接触によって発生したガスを放出する穴が形成されていることを特徴とするストロー。
【発明の詳細な説明】
【技術分野】
【０００１】
本発明はガスが高濃度に溶解した溶液を生成するストローに関する。
【背景技術】
【０００２】
容器内の飲料にガスを発生させるものとして特許文献１が知られている。この特許文献1には、マグネシウム粒と銀粒を充填し表面に小さな穴が形成されたセラミック製ケースが提案され、このケースを水中に浸すことで水とマグネシウムとが接触して水中に水素ガスが発生するようにしている。
【０００３】
また特許文献２にはストロー内に風味添加剤を充填し、例えばこのストローで牛乳を飲むと、風味添加剤が溶け出してミルクココアなどの味になる内容が開示されている。
【先行技術文献】
【特許文献】
【０００４】
【特許文献１】特開２００５−１６１２０９号公報
【特許文献２】特表２００１−５０２１７３号公報
【発明の開示】
【発明が解決しようとする課題】
【０００５】
コーラなどの炭酸飲料は飲料中に炭酸ガスを過飽和に溶存させ、キャップを外して大気圧にすることで、飲料中に炭酸ガスを一気に発生させるようにしている。そのため、容器は高圧に耐えることができるプラスチック製、ガラス製、あるいはスチール缶、アルミ缶製となっている。
また最近、水素水も販売されているが、水素分子はきわめて小さく通常の容器では保存できないため、アルミ箔と樹脂フィルムとを何層も重ねた多層膜を使用するようにしている。しかしながら、それでも短時間のうちに水素ガスの多くは消失してしまう。
【０００６】
特許文献１に開示される内容は、コップなどの開放された容器内の水に水素ガスを発生させるもので、これに特許文献２の考えを応用してストロー内にマグネシウム粒と銀粒を充填することも考えられる。
【０００７】
しかしながら、仮にこのような構成にした場合、瞬時に大量のガスが発生すると、ストローが膨れて破れたり、ストローの吸い口から大量のガスとともに飲料が噴出してしまうことが考えられる。また、マグネシウムなどの量を加減し他の増量剤と混ぜることで徐々にガスを発生させることも考えられるが、この場合には溶液中でのガス濃度がすぐには高くならず、ストローで吸い込めるガスの量は非常に少なくなってしまう。
つまり、市販されている炭酸飲料や水素水は飽和濃度近い濃度、あるいは過飽和の状態でガスが溶存しているからこそ、旨味を感じたり、体に有効に機能するにもかかわらず、この方法では、旨味を感じたり、体に有効に足るだけのガスの量を吸い込むことができない。
【０００８】
したがって、従来技術を組み合わせただけでは、ストローを用いて高濃度の水素水、炭酸飲料や酸素水を直ちに作り出すことはできない。
【課題を解決するための手段】
【０００９】
上記課題を解決するため本発明にかかるストローは、下端内部にガス発生剤が充填される薬剤保持部が設けられ、この薬剤保持部よりも上方位置のストロー側面に飲料を吸引するための穴が形成された構成である。
【００１０】
前記薬剤保持部とこれよりも上方のストロー内とは例えば仕切り部材にて分けられ、この仕切り部材、前記薬剤保持部の側面及びストローの下端開口に取り付けられた蓋部材の少なくとも１つには、ガス発生剤と飲料との接触を可能とするとともに接触によって発生したガスを放出する穴（スリットも含む）が形成されていることが好ましい。
【００１１】
前記仕切り部材としてはガスの透過を許容し反応生成物の透過を阻止する目の細かいフィルターが考えられる。また蓋部材としてはシールなどを適用できる。
【発明の効果】
【００１２】
本発明に係るストローによれば、水素ガス、炭酸ガスまたは酸素ガスなどのガスを予め飲料内に充填し保持するのではなく、使用直前になって発生させるため、高圧に耐えられる容器やアルミ箔と樹脂フィルムとを何層も重ねた多層膜からなる容器を用意する必要がない。
【００１３】
水素ガスの場合、水素ガスのみを吸引する場合には２％の濃度が予防医学的効果があるとされている。一方水素ガスを水に飽和させた水素水の場合、濃度（１気圧下）は１．６ｐｐｍ程度であるが、この濃度でも、水素水の方が２％濃度の水素ガスを吸引するよりも。医学的効果があることが報告されている。
【００１４】
またガスはストロー内またはストローの近傍で発生したものを直ちに飲料と一緒に飲み込むため、逃げてしまうガスの量が少なく、ガスが高濃度に溶解した飲料とすることができる。
【図面の簡単な説明】
【００１５】
【図１】本発明に係るストローの全体図
【図２】同ストローの組み立て前の状態の要部拡大断面図
【図３】同ストローの組み立て後の状態の要部拡大断面図
【図４】同ストローの作用を説明した断面図
【図５】別実施例を示す図４と同様の図
【図６】別実施例を示す図４と同様の図
【図７】（ａ）及び（ｂ）は別実施例を示す図
【図８】同ストローと紙パックとを組み合わせた製品例を示す図
【発明を実施するための最良の形態】
【００１６】
以下に本発明の実施例を説明する。
ストロー１は上端から約１／４の箇所に伸縮且つ折り曲げ可能な蛇腹部２が形成され、下端部には薬剤保持部３が形成されている。この薬剤保持部３の上端部は径方向内側に突出したストッパ部４とされ、このストッパ部４に下方から挿入した仕切り部材５が係止し、仕切り部材５の下方にはガス発生剤６が挿入され、ストローの下端は蓋部材７で閉塞し、更にこの実施例では薬剤保持部３全体を耐水性樹脂フィルム８でシールしている。
【００１７】
ガス発生剤６は剥き出しでもよいがカプセルに入れたものでもよい。カプセルに入れた場合は当該カプセルがストッパ部４に係止させることができるので、仕切り部材５を省略することも可能である。また蓋部材７と前記耐水性樹脂フィルム８で構成してもよい。
【００１８】
また、薬剤保持部３よりも上方のストロー側面には飲料を吸引するための穴９が形成されている。穴の形状は丸でも細長いスリット状でも構わない。
図２、３に示す実施例では仕切り部材５をフィルター若しくは多孔板にて構成し、薬剤保持部３の側壁および蓋部材７にはガス発生剤６と飲料(水)とが接触するとともに接触したことで発生するガスを放出するための穴１０、１１が形成されている、この穴１０、１１は前記ストロー側面に形成された穴９よりも小さい。
【００１９】
ここで、水素ガスを発生するガス発生剤６としては、水素化カルシウム（ＣａＨ２）や水素化マグネシウム（ＭｇＨ２）などの水素化金属、焼成した貝殻や珊瑚の粉体の他に、水素分子を吸着したゼオライト（含む合成ゼオライト）や沈降炭酸カルシウムなどを造形したものが考えられる
また、炭酸ガスを発生するガス発生剤６としては、炭酸水素ナトリウム（ＮａＨＣＯ３）が考えられる。
更に、酸素ガスを発生するガス発生剤６としては、過酸化カルシウム（アルカリ土類金属の過酸化物とクエン酸、リンゴ酸及び硫酸アルミニウムの少なくとも一種との混合を水和性石膏で固形化したもの、あるいは無機過酸化物を中和剤及び触媒等と共に低密度膨張黒鉛と混合して加圧成形したものでもよい）、過炭酸ナトリウム（その他、過酸化水素付加化合物系であれば可）などがある。
【００２０】
以上において、ストロー１の先端を飲料に入れる。この場合蓋部材７はそのままでもよいが剥がしてもよい。
すると、図４に示すように、穴１０、１１を通って飲料（水）が薬剤保持部３内に侵入しガス発生剤６と接触しガスを発生する。発生したガスの一部は穴１０、１１から飲料中に放出され、ストロー１に沿って上昇し、このときストローを吸うと発生したガスとともに飲料がストロー１内に穴９を介して取り込まれる。
また、発生したガスの他の一部は仕切り部材５を透過して前記吸い込んだ飲料と混ざって飲用に供される。
【００２１】
図５は別実施例を示す図４と同様の図であり、この実施例では仕切り部材５には穴を形成していない。そのため、発生したガスはストローの側面に形成した穴９のみを介してストロー１内に取り入れられる。
【００２２】
図６は別実施例を示す図４と同様の図であり、この実施例では仕切り部材５にのみ穴を形成し、薬剤保持部３の側壁および蓋部材７には穴を形成していない。そのため、一旦穴９を介してストロー１内に取り入れられた飲料(水)が仕切り部材５の穴を介してガス発生剤６に接触し、発生したガスは再び仕切り部材５を介してストロー内に送り込まれる。
【００２３】
このように、本発明にあっては、薬剤保持部３の側壁、蓋部材７或いは仕切り部材５のいずれかに穴を形成すればよい。
【００２４】
図７（ａ）及び（ｂ）は更なる別実施例を示し、（ａ）に示す実施例にあってはストロー下端の保持部３の内部ではなく、外側にドーナッツ状のガス発生剤６を保持し、（ｂ）に示す実施例にあっては、円盤状のガス発生剤６の上面にストローの内径に略等しい外径の凸部６ａを形成し、この凸部６ａをストロー１の保持部３内に圧入するようにしている。
【００２５】
図８は本発明に係るストローを紙パック飲料とセットにした例を示す。この場合、ストロー１は耐水性樹脂シートから成る袋１２に入れて紙パック１３に取付ける。
【産業上の利用可能性】
【００２６】
本発明に係るストローは、ガス発生剤をかえることによって水素ガス、炭酸ガス或いは酸素ガス以外を発生させるストローとしても利用することができる。
【符号の説明】
【００２７】
１…ストロー、２…蛇腹部、３…薬剤保持部、４…ストッパ部、５…仕切り部材、６…ガス発生剤、７…蓋部材、８…耐水性樹脂フィルム、９…ストロー側の穴、１０…薬剤保持部側面の穴、１１…蓋部材の穴、１２…耐水性樹脂シートから成る袋、１３…紙パック。
【図１】
2013215511.tif 000003
【図２】
2013215511.tif 000004
【図３】
2013215511.tif 000005
【図４】
2013215511.tif 000006
【図５】
2013215511.tif 000007
【図６】
2013215511.tif 000008
【図７】
2013215511.tif 000009
【図８】
2013215511.tif 000010
【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
ストローの下端内部にガス発生剤が充填される薬剤保持部が設けられ、この薬剤保持部よりも上方位置のストロー側面に飲料を吸引するための穴が形成され、前記薬剤保持部とこれよりも上方のストロー内とは仕切り部材にて分けられ、この仕切り部材、前記薬剤保持部の側面及びストローの下端開口に取り付けられた蓋部材の少なくとも１つには、ガス発生剤と飲料との接触を可能とするとともに接触によって発生したガスを放出する穴が形成されていることを特徴とするストロー。
【手続補正２】
【補正対象書類名】明細書
【補正対象項目名】００２４
【補正方法】削除
【補正の内容】
【手続補正３】
【補正対象書類名】図面
【補正対象項目名】図７
【補正方法】削除
【補正の内容】